(57)【特許請求の範囲】
【請求項１】
アンテナ背面側の取付台を鉄塔の架台に角度調節可能に固定する取付装置において、
上記架台にダブルナットで締結固定する支持ボルトの軸部先端に、平坦先端面を有する略半球状の頭部を設けると共に、上記平坦先端面の中央に小半球部を突出させる一方、
中央にテーパ状あるいは略半球状の軸受穴を設けた押え板と、上記取付台に一面を固定した取付板を設け、
上記頭部を上記軸受穴に嵌合させて押え板を上記頭部に外嵌すると共に、上記取付板の他面を上記小半球部の先端に点接触させて、該取付板と上記押え板とを小ボルトと小ナットで締結し、
上記支持ボルトの移動によるアンテナ角度調節時に上記取付板および押え板を上記頭部で支持して傾動可能としていることを特徴とするアンテナの取付装置。
【請求項２】
上記押え板には中央に上記軸受穴を設けると共に外周にボルト穴を設ける一方、上記取付板は上記小半球部との接触点の外周にテーパ穴からなるボルト穴を設け、該取付板のボルト穴に植え込み型の上記小ボルトを通し、上記押え板の上記ボルト穴より突出させて、上記小ナットで螺着し、ナット位置により締付量を上記支持ボルトの軸部側から監視できる構成としている請求項１に記載のアンテナの取付装置。
【請求項３】
上記支持ボルトの頭部に設ける平坦先端面は、仮想球形の先端側の１／３〜２／３を切除して形成されたものである請求項１または請求項２に記載のアンテナの取付装置。
【請求項４】
上記押え板と取付板との間にスペーサを介在させ、該スペーサには中央に軸受穴と外周にボルト穴を設けて、上記支持ボルトの頭部を上記軸受穴に嵌合させると共に、上記ボルト穴に上記小ボルトを通している請求項１乃至請求項３のいずれか１項に記載のアンテナの取付装置。
【発明の詳細な説明】
【０００１】
【発明の属する技術分野】
本発明は、アンテナの取付装置に関し、詳しくは、パラボラアンテナ等を鉄塔の架台に角度調節可能に固定するためのものである。
【０００２】
【従来の技術】
テレビ放送用の電波の中継局（サテライト局）は、受信アンテナと送信アンテナを備えて電波を中継していると共に、アナログチャンネル変換やデジタル化などを行っており、該受信アンテナとしてのパラボラアンテナが鉄塔の架台に固定されている。
上記パラボラアンテナを架台に固定する方法として、例えば実開平５−３６９１４号公報に開示されている構造によると、図９に示すように、支持ボルト３を架台２に挿通しダブルナット機構となる架台固定ナット７、８で挟み込んで締め付け固定している一方、支持ボルト３の先端側の球面部３ａを第１受け金具４と第２受け金具５とで挟み込んで回転自在に係止した状態でアンテナ１にボルト６締め固定している。
【０００３】
【特許文献１】
実開平５−３６９１４号公報
【０００４】
【発明が解決しようとする課題】
しかしながら、上記固定構造によると、支持ボルト３の球面部３ａが面倒な曲面加工となるため加工コストが掛かってしまうと共に、支持ボルト３の先端を球体形状の球面部３ａとしているので、軸受となる第１受け金具４が高背となり全体として大型化してしまう問題がある。
【０００５】
また、アンテナ１の角度調節を行う際にはボルト６を緩めた状態として、支持ボルト３に対してアンテナ１を傾動させて行うが、ボルト６を緩める際にボルト６の先端６ａが作業者側から目視できないため、誤ってボルト６を緩め過ぎて第１受け金具４等が脱落してしまう恐れもあった。
【０００６】
本発明は、上記問題に鑑みてなされたもので、アンテナの取付装置の加工コストの低減および小型軽量化を図ることを第１の課題とし、また、アンテナの角度調節時のボルト脱落防止を図ることを第２の課題としている。
【０００７】
【課題を解決するための手段】
上記課題を解決するため、本発明は、アンテナ背面側の取付台を鉄塔の架台に角度調節可能に固定する取付装置において、
上記架台にダブルナットで締結固定する支持ボルトの軸部先端に、平坦先端面を有する略半球状の頭部を設けると共に、上記平坦先端面の中央に小半球部を突出させる一方、
中央にテーパ状あるいは略半球状の軸受穴を設けた押え板と、上記取付台に一面を固定した取付板を設け、
上記頭部を上記軸受穴に嵌合させて押え板を上記頭部に外嵌すると共に、上記取付板の他面を上記小半球部の先端に点接触させて、該取付板と上記押え板とを小ボルトと小ナットで締結し、
上記支持ボルトの移動によるアンテナ角度調節時に上記取付板および押え板を上記頭部で支持して傾動可能としていることを特徴とするアンテナの取付装置を提供している。
【０００８】
上記構成とすると、上記支持ボルトの軸部の先端は、全体を球面とせずに、球体の先端側を面取りした形状である略半球状の上記頭部を設け、その先端側の平坦先端面に上記頭部よりも小径である上記小半球部を突出させた形状としているので、曲面加工箇所を低減することができ、加工コストを削減することができる。
また、上記頭部は全体を球面とせずに先端側を小径の小半球部を突出させた形状としているので、全体として小型化されると共に、上記頭部の抜け止めを図る押え板等も薄型化することができ、上記取付装置の重量も軽量化することができる。これにより、通常は高所での作業となる設置作業時の作業者への負担も軽減することができる。
さらに、上記頭部の先端の小半球部は上記取付板とは点接触するので、角度調節のために支持ボルトを傾動させる際の摩擦抵抗が低減され、角度調節作業での作業者への負担も軽減することができる。
【０００９】
また、上記押え板には中央に上記軸受穴を設けると共に外周にボルト穴を設ける一方、上記取付板は上記小半球部との接触点の外周にテーパ穴からなるボルト穴を設け、該取付板のボルト穴に植え込み型の上記小ボルトを通し、上記押え板の上記ボルト穴より突出させて、上記小ナットで螺着し、小ナット位置により締付量を上記支持ボルトの軸部側から監視できる構成としている。
【００１０】
上記構成によると、上記取付板および押え板を締結する際に、上記小ボルトをアンテナの背面側から正面側へと貫通するのではなく、正面側から背面側へと貫通させて植え込んでいるので、小ボルトの先端が作業者側となる背面側に突出し、上記小ナットから突出する小ボルトの先端余長を作業者から目視することが可能となる。
よって、上記アンテナの角度を調整するために上記支持ボルトを傾動させる際に、上記小ボルトの余長を目で確認しながら小ナットを緩めることができ、誤って小ナットを脱落させてしまうことがない。
【００１１】
さらに、小ボルトを背面側から正面側へと貫通させると、上記取付板と上記押え板のボルト穴同士を慎重に位置合わせしてから小ボルトを貫通させねばならないが、本発明では正面側から背面側へと上記取付板のボルト穴に植え込み型の小ボルトで予め貫通させているので、取付板より突出した小ボルトに押え板のボルト穴を挿通するだけで該位置合わせの必要がなくなり、組み付け作業性を向上させることができる。
【００１２】
上記支持ボルトの頭部に設ける平坦先端面は、仮想球形の先端側の１／３〜２／３を切除して形成されたものである。
それにより、該平坦先端面に突設する上記小球形部の先端から軸部連結点までの長さは、仮想球形の直径の２／５〜４／５の範囲として全体としての薄型を可能としている。
【００１３】
上記押え板と取付板との間にスペーサを介在させ、該スペーサには中央に軸受穴と外周にボルト穴を設けて、上記支持ボルトの頭部を上記軸受穴に嵌合させると共に、上記ボルト穴に上記小ボルトを通している構成としても好適である。
【００１４】
上記構成とすると、上記支持ボルトの頭部を嵌合する軸受穴を上記押え板と上記スペーサとで分割して形成するので、軸受穴の加工が容易となる利点がある。なお、上記スペーサは別部材とする他に、上記取付板と一体であってもよいし、上記押え板と一体であってもよい。
【００１５】
【発明の実施の形態】
本発明の実施形態を図面を参照して説明する。
図１はパラボラアンテナ４０の取付装置１０を示し、軸部１１ｃの先端にボール部１１ｆを有する支持ボルト１１と、パラボラアンテナ側へ固定する取付板１２と、該支持ボルト１１のボール部１１ｆを嵌合するスペーサ１３と、該支持ボルト１１のボール部１１ｆを嵌合し抜け止めを図る押え板１４と、該取付板１２とスペーサ１３と押え板１４とを固定するための植え込み型の小ボルト１５、小ワッシャ１６および小ナット１７と、該支持ボルト１１の軸部１１ｃを鉄塔の架台５０に挟持固定するためのダブルナット機構となる大ナット１８〜２１および大ワッシャ２２、２３とを備えている。
【００１６】
支持ボルト１１は、図３に示すように、ネジ山を刻設している棒状の軸部１１ｃと、該軸部１１ｃの先端側に連続し平坦先端面１１ａ−１を有する略半球状の頭部１１ａと、該頭部１１ａの平坦先端面１１ａ−１の中心から突出し該頭部１１ａよりも小径の小半球部１１ｂとを備え、該頭部１１ａと該小半球部１１ｂとをボール部１１ｆとしていると共に、軸部１１ｃの両側面には面取りした平面部１１ｄを設け、該平面部１１ｄに目盛部１１ｅを設けている。
また、頭部１１ａの平坦先端面１１ａ−１は、球形の先端側の１／３〜２／３を切除して形成し、小半球部１１ｂの先端から軸部１１ｃとの連結点までの長さは、全体を球形とした仮想球形頭部の直径の２／５〜４／５の範囲として薄型化している。
【００１７】
取付板１２は、図４（Ａ）（Ｂ）に示すように、四角板形状であり、小ボルト１５を貫通するボルト穴１２ａを円周状に４つ穿設していると共に、四隅にグリッドパラボラアンテナ４０の取付台４１にボルト締め固定するボルト孔１２ｂを穿設している。ボルト穴１２ａは、小ボルト１５の頭部１５ｂを嵌合するテーパ部１２ａ−１と、該テーパ部１２ａ−１に連続する直穴部１２ａ−２とを備えている。
【００１８】
スペーサ１３は、図５に示すように、支持ボルト１１の頭部１１ａを内嵌する直穴状の軸受穴１３ａと、取付板１２のボルト穴１２ａと合致する位置に配置されネジ山を内周面に刻設している４つのボルト穴１３ｂとを備えている。
【００１９】
押え板１４は、図６に示すように、支持ボルト１１の頭部１１ａを内嵌して脱落しないように押え付ける軸受穴１４ａと、取付板１２のボルト穴１２ａおよびスペーサ１３のボルト穴１３ｂと合致する位置に配置されネジ山が刻設されていない４つのボルト穴１４ｂとを備えている。軸受穴１４ａは、角度θ（２０°≦θ≦４０°）で拡径するテーパ部１４ａ−１と、該テーパ部１４ａ−１に連続する直穴部１４ａ−２とを備えている。
【００２０】
テーパ部１４ａ−１の拡径側の先端径は、スペーサ１３の軸受穴１３ａの内径と同一としていると共に、直穴部１４ａ−２の内径は支持ボルト１１の軸部１１ｃの外径より若干大きくしている。
なお、押え板１４の軸受穴１４ａは、テーパ部１４ａ−１の代わりに、略半球状の傾斜面を有する形状としてもよい。
上記取付装置１０は、取付板１２、スペーサ１３および押え板１４に対して支持ボルト１１を角度±α（４°≦α≦８°）で傾動可能としており、支持ボルト１１の軸部１１ｃが押え板１４の直穴部１４ａ−２の周縁に干渉することで、傾動角度を規制している。
【００２１】
パラボラアンテナ４０は、図７（Ａ）（Ｂ）に示すように、円弧状の反射板４２を複数本のグリッド（金属棒）で形成したグリッドパラボラアンテナ４０であり、該反射板４２の背面側に設けられたフレーム４３の上下左右それぞれ４箇所に、取付装置１０を取り付けるための取付台４１を設けている。
鉄塔の架台５０には、支持ボルト１１を挿通するための、取付穴（図示せず）を穿設している。
【００２２】
次に、図１を参照して取付装置１０の組付手順について説明すると、先ず、取付板１２のボルト穴１２ａに正面側（アンテナ４０側）から背面側（架台５０側）へと植え込み型の小ボルト１５を挿入し、スペーサ１３のボルト穴１３ａにネジ止め貫通し、スペーサ１３を取付板１２に張り合わせる。この状態より、支持ボルト１１の頭部１１ａと小半球部１１ｂとからなるボール部１１ｆをスペーサ１３の軸受穴１３ａに内嵌し、押え板１４を軸受穴１４ａを通して軸部１１ｃに貫通させると共に、押え板１４のボルト穴１４ｂを背面側に突出した小ボルト１５に挿通する。
【００２３】
この際、小ボルト１５を背面側から正面側へと貫通させると、取付板１２とスペーサ１３と押え板１４のボルト穴１２ａ、１３ｂ、１４ｂ同士を慎重に合致させてから小ボルト１５を貫通させねばならないが、本発明では、逆に正面側から背面側へと貫通させているので、取付板１２より予め突出した小ボルト１５にスペーサ１３および押え板１４のボルト穴１３ｂ、１４ｂを挿通するだけで位置合わせの必要がなく組み付けることができ、作業性を向上させることができる。
【００２４】
そして、押え板１４より突出した小ボルト１５の先端１５ａに小ワッシャ１６を介して小ナット１７で締め付け固定すると、支持ボルト１１の小半球部１１ｂが取付板１２に点接触すると共に、頭部１１ａの外周面が押え板１４の軸受穴１４ａのテーパ部１４ａ−１で圧接される。
【００２５】
次いで、取付板１２のボルト孔１２ｂを通して、図２に示すように、グリッドパラボラアンテナ４０の取付台４１にボルト締め固定する。
一方、軸部１１ｃは、鉄塔の架台５０の取付穴（図示せず）に挿通した状態で、大ワッシャ２２、２３を介して大ナット１８〜２１で架台５０を挟み込んで締め付け固定する。
上記手順で図７（Ａ）（Ｂ）に示すように、グリッドパラボラアンテナ４０を架台５０に４つの取付装置１０を用いて４点支持させる。
【００２６】
グリッドパラボラアンテナ４０の角度調節を行う場合には、小ナット１７を緩めることで、支持ボルト１１の頭部１１ａと押え板１４の軸受穴１４ａのテーパ部１４ａ−１との接触圧を弱めた状態で、ダブルナット機構であるナット１８〜２１を目盛部１１ｅを見ながら支持ボルト１１の軸部１１ｃ上を左右に移動させて架台５０と取付台４１との距離を変えることにより、取付板１２の背面とスペーサ１３および押え板１４の軸受穴１３ａ、１４ａとで形成された空間を軸受Ｓとして、支持ボルト１１に対して取付板１２側を傾動させて行う。
この際、ボール部１１ｆの小半球部１１ｂと取付板１２との接触は点接触であるので、支持ボルト１１に対して取付板１２を傾動させる際の摩擦抵抗が低減され、角度調節作業における作業者への負担を軽減することができる。
【００２７】
また、小ボルト１５の先端１５ａが作業者側となる背面側に突出し、小ナット１７から突出する小ボルト１５の先端１５ａの余長を作業者から目視できるので、アンテナ４０の角度を調整する際に、小ボルト１５の余長を目で確認しながら小ナット１７を緩めることができ、誤って小ナット１７を脱落させてしまうことを防止することができる。
【００２８】
支持ボルト１１のボール部１１ｆは、全体を球面とせずに、球体の先端側を面取りした平坦先端面１１ａ−１を有する形状である略半球状の頭部１１ａを設け、その平坦先端面１１ａ−１に小径の小半球部１１ｂを突出させた形状としているので、曲面加工を低減することができ、加工コストを削減することができる。また、ボール部１１ｆの先端側を小径の小半球部１１ｂとしているので、ボール部１１ｆが小型化されると共に、軸受Ｓを形成するスペーサ１３および押え板１４が薄型化され、取付装置１０の重量を軽量化することができる。よって、高所での取付作業における作業者への負担を軽減することができる。
さらに、支持ボルト１１のボール部１１ｆは、押え板１４の軸受穴１４ａのテーパ部１４ａ−１およびスペーサ１３の軸受穴１３ａで面圧接しているので十分な強度を得ることができ、重量の大きいグリッドパラボラアンテナ４０も安定保持することができる。
【００２９】
また、取付装置１０を用いるアンテナとしては、図８（Ａ）（Ｂ）に示すような椀型のパラボラアンテナ６０であってもよく、取付位置は同様にして、アンテナ背面に４箇所に設けられた取付台６１に取付固定する。
なお、スペーサ１３は、取付板１２あるいは押え板１４と一体であってもよい。
【００３０】
【発明の効果】
以上の説明より明らかなように、本発明によれば、上記支持ボルトの頭部は、全体を球面とせずに曲面加工箇所を低減しているので、加工コストを削減することができる。また、上記頭部の先端側を小半球部としているので、小型化されると共に、上記頭部の抜け止めを図る押え板等も薄型化することができ、上記取付装置を軽量化することができる。したがって、上記取付装置の取付作業時の作業者への負担を軽減することができる。
さらに、上記小半球部と上記取付板との接触は点接触であるので、支持ボルトを傾動させる際の摩擦抵抗が低減され、角度調節時での作業者への負担を軽減することができる。
【００３１】
また、上記取付板および押え板を締結する際に、上記小ボルトを正面側から背面側へと貫通させ、小ボルトの先端を作業者側に突出させているので、上記アンテナの角度を調整する際に、作業者は上記小ナットから突出する小ボルトの先端の余長を目で監視しながら小ナットを緩めることができ、誤って小ナットを脱落させてしまうのを防止できる。
さらに、取付板より突出した小ボルトに押え板のボルト穴を挿通するだけでボルト穴同士を位置合わせして合致させる必要がなくなるので、組付作業性を向上させることができる。
【図面の簡単な説明】
【図１】  本発明の実施形態のアンテナの取付装置を示す断面図である。
【図２】  取付装置の取り付け状態を示す側面図である。
【図３】  （Ａ）は支持ボルトの側面図、（Ｂ）は正面図、（Ｃ）は背面図である。
【図４】  （Ａ）は取付板の正面図、（Ｂ）は（Ａ）のＩ−Ｉ線断面図である。
【図５】  スペーサの断面図である。
【図６】  押え板の断面図である。
【図７】  （Ａ）は取付装置を用いてグリッドパラボラアンテナを架台に固定した状態を示す側面図、（Ｂ）は正面図である。
【図８】  （Ａ）は取付装置を用いて椀型のパラボラアンテナを架台に固定した状態を示す側面図、（Ｂ）は正面図である。
【図９】  従来例を示す図面である。
【符号の説明】
１０        取付装置
１１        支持ボルト
１１ａ      頭部
１１ａ−１  平坦先端面
１１ｂ      小半球部
１２        取付板
１２ａ      ボルト穴
１３        スペーサ
１３ａ      軸受穴
１４        押え板
１４ａ      軸受穴
１４ａ−１  テーパ部
１５        小ボルト
１７        小ナット
１８〜２１  大ナット
４０        グリッドパラボラアンテナ
５０        椀型パラボラアンテナ
【図１】
0003636187.tif 000002
【図２】
0003636187.tif 000003
【図３】
0003636187.tif 000004
【図４】
0003636187.tif 000005
【図５】
0003636187.tif 000006
【図６】
0003636187.tif 000007
【図７】
0003636187.tif 000008
【図８】
0003636187.tif 000009
【図９】
0003636187.tif 000010